(57)【要約】【課題】吸引対象媒体の拡散を適切に防いで吸引対象媒体を確実に捕集することが可能であると共に、エネルギ効率良好に運転することができて省エネルギ化やＣＯ2の排出抑制を促進することが可能な吸引対象媒体捕集装置を提供する。【解決手段】給気装置１の給気面Ａと吸引装置２の吸引面Ｂとを、局所的な吸引対象媒体Ｘの発生源Ｐを挟んで設置して、給気面からの給気を吸引面で吸引して吸引対象媒体を捕集するようにした吸引対象媒体捕集装置であって、給気面の中央部分ａからの中央給気ｆを少なくとも横方向両側から取り囲むエアカーテンを形成するために、給気面の中央部分外側に位置する外端部分ｂからの外側給気Ｆの風速を、中央給気の風速よりも速く設定する。【選択図】図５
2011208884.tif 000002
【特許請求の範囲】
【請求項１】
給気装置の給気面と吸引装置の吸引面とを、局所的な吸引対象媒体の発生源を挟んで設置して、該給気面からの給気を該吸引面で吸引して吸引対象媒体を捕集するようにした吸引対象媒体捕集装置であって、上記給気面の中央部分からの中央給気を少なくとも横方向両側から取り囲むエアカーテンを形成するために、該給気面の該中央部分外側に位置する外端部分からの外側給気の風速を、中央給気の風速よりも速く設定することを特徴とする吸引対象媒体捕集装置。
【請求項２】
前記給気面からの総給気量よりも、前記吸引面からの総吸引量を多く設定することを特徴とする請求項１に記載の吸引対象媒体捕集装置。
【請求項３】
前記給気面には多数の給気孔が形成され、該給気孔の開口率が、前記中央部分よりも前記外端部分で大きく設定されることを特徴とする請求項１又は２に記載の吸引対象媒体捕集装置。
【発明の詳細な説明】
【技術分野】
【０００１】
本発明は、吸引対象媒体の拡散を適切に防いで吸引対象媒体を確実に捕集することが可能であると共に、エネルギ効率良好に運転することができて省エネルギ化やＣＯ2 の排出抑制を促進することが可能な吸引対象媒体捕集装置に関する。
【背景技術】
【０００２】
空気中へ拡散することが好ましくない粉塵や悪臭、有害物質などの吸引対象媒体が局所的に発生する工事現場等では、いわゆるプッシュプル型の換気装置が用いられ、この換気装置で吸引対象媒体を吸引捕集するようにしている。この種の換気装置として、特許文献１が知られている。
【０００３】
特許文献１の「プッシュプル型換気装置」は、プッシュプル型換気装置におけるプッシュフードから送られる空気流のより効率的な吸気を行う手段を提供することを課題として、プッシュプル型換気装置において、プルフードの開口面の中央部の吸引風速よりも外周部の吸引風速を大きくする。プルフードに内部フードと外周部フードを設け、外周部フードの吸引風速を内部フードの吸引風速よりも大きくする。内部フードが気流を吸引する分配口と気流を吸引しない遮蔽面とをもち、外周部フードに気流を吸引する分配口をその外周に沿って設けるようにしている。
【先行技術文献】
【特許文献】
【０００４】
【特許文献１】特開２００７−３１５６号公報
【発明の概要】
【発明が解決しようとする課題】
【０００５】
プッシュプル型換気装置では、吸引対象媒体を確実に回収するために、プルフードでの吸引風量を、プッシュフードからの給気風量よりも数倍から十数倍大きく設定することが要求される。言い換えれば、単位時間当たりの風量、すなわち風速を、プッシュフードよりもプルフードで大きく設定することが要求される。これは、プッシュフードからの給気風速が大きいと、給気に煽られて吸引対象媒体が拡散してしまうからである。このため、プッシュフードから小さな風速の穏やかな気流で給気し、プルフードで強力に吸引するようにしていた。
【０００６】
しかしながら、プルフードの吸引風量、吸引風速を徒に大きくすることは、エネルギロスが大きく、省エネルギ化やＣＯ2の排出抑制の観点から、好ましいものではなかった。
【０００７】
また、給気風速が弱いため、プッシュプル型換気装置の側方等から吸引対象媒体の発生源に向かって横風などが吹き込むと、給気の気流が乱されて吸引対象媒体が拡散してしまい、プルフードの吸引風量を大きくしても、吸引対象媒体を十分かつ確実に捕集できないおそれがあった。
【０００８】
本発明は上記従来の課題に鑑みて創案されたものであって、吸引対象媒体の拡散を適切に防いで吸引対象媒体を確実に捕集することが可能であると共に、エネルギ効率良好に運転することができて省エネルギ化やＣＯ2 の排出抑制を促進することが可能な吸引対象媒体捕集装置を提供することを目的とする。
【課題を解決するための手段】
【０００９】
本発明にかかる吸引対象媒体捕集装置は、給気装置の給気面と吸引装置の吸引面とを、局所的な吸引対象媒体の発生源を挟んで設置して、該給気面からの給気を該吸引面で吸引して吸引対象媒体を捕集するようにした吸引対象媒体捕集装置であって、上記給気面の中央部分からの中央給気を少なくとも横方向両側から取り囲むエアカーテンを形成するために、該給気面の該中央部分外側に位置する外端部分からの外側給気の風速を、中央給気の風速よりも速く設定することを特徴とする。
【００１０】
前記給気面からの総給気量よりも、前記吸引面からの総吸引量を多く設定することを特徴とする。
【００１１】
前記給気面には多数の給気孔が形成され、該給気孔の開口率が、前記中央部分よりも前記外端部分で大きく設定されることを特徴とする。
【発明の効果】
【００１２】
本発明にかかる吸引対象媒体捕集装置にあっては、吸引対象媒体の拡散を適切に防いで吸引対象媒体を確実に捕集することができると共に、エネルギ効率良好に運転することができて省エネルギ化やＣＯ2 の排出抑制を促進することができる。
【図面の簡単な説明】
【００１３】
【図１】本発明に係る吸引対象媒体捕集装置の好適な一実施形態を示す給気装置の前面図である。
【図２】図１の給気装置に対で用いられる吸引装置の前面図である。
【図３】図１及び図２に示した給気装置及び吸引装置の背面図である。
【図４】図１及び図２に示した給気装置及び吸引装置の側面図である。
【図５】図１及び図２に示した給気装置及び吸引装置を備える吸引対象媒体捕集装置の作用を説明する説明図である。
【図６】図１の給気装置の変形例を示す概略平面図である。
【発明を実施するための形態】
【００１４】
以下に、本発明に係る吸引対象媒体捕集装置の好適な実施形態を、添付図面を参照して詳細に説明する。本実施形態に係る吸引対象媒体捕集装置は図１〜図５に示すように、給気面Ａを備える給気装置１と、吸引面Ｂを備える吸引装置２とから主に構成される。
【００１５】
給気装置１は図１、図３及び図４に示すように、車輪３を有して走行自在なスタンド４に搭載される給気フード５と、可搬式のテーブル６上に設置される給気送風機７とから構成される。スタンド４の脚及びテーブル６の脚は、高さ調整可能にスライド式で構成される。
【００１６】
給気フード５は、正面外形輪郭が長方形状で、奥行きが浅い直方体状のフレームの前面にメッシュ８を被せ、これ以外の周面には風を通さない帆布１５を被せて、これらでフレーム全体を覆うことにより構成される。これにより、給気フード５は、可搬性及び組立性良好に構成される。メッシュ８で覆った給気フード５の前面が給気面Ａとされる。メッシュ８により、給気面Ａには多数の給気孔が形成される。給気フード５の後面中央部には、帆布１５に穴を穿つことにより、開口部９が形成される。
【００１７】
給気面Ａにおいて、メッシュ８のサイズは、給気面Ａの中央部分ａで細かく、給気面Ａの中央部分ａ外側に位置する外端部分ｂで粗く設定される。詳細には本実施形態にあっては、給気面Ａの左右幅方向で、幅方向中央の中央部分ａが最も細かいメッシュ８とされる。中央部分ａの左右両側の外端部分ｂはそれぞれ、左右に２つの部分に分けられ、中央部分ａに隣接する内側外端部分ｂ１は、中央部分ａよりも粗いメッシュ８とされ、左右端部となる外側外端部分ｂ２は、内側外端部分ｂ１よりもさらに粗いメッシュ８とされる。
【００１８】
図示例にあっては、左右方向にメッシュ８の粗さを変えているが、必要に応じて、給気面Ａの上下方向に中央部分ａから外端部分ｂへ向けて、細かいメッシュ８から粗いメッシュ８に変えるようにしても良い。メッシュ８のサイズ設定により、単位面積当たりの給気孔の開口面積（開口率）が、給気面Ａの中央部分ａよりも外端部分ｂで大きく設定される。本実施形態にあっては、メッシュサイズを３段階で変えているが、２段階で変えても、あるいは４段階以上変えるようにしても良い。
【００１９】
給気フード５において、その前面となる給気面Ａ以外の、後面や上下及び左右の面は、給気漏れを少なくするために、メッシュサイズは細かく設定される。
【００２０】
テーブル６上の給気送風機７の送風口は、フレキシブルなダクト１０を介して、給気フード５の開口部９に連結される。これにより、給気送風機７から給気が給気フード５へ送り込まれ、給気面Ａから給気Ｆ，ｆが吹き出される。
【００２１】
給気フード５から吹き出される給気Ｆ，ｆは、開口率の小さな給気面Ａの中央部分ａで風速が遅く緩やかな気流となり、内側外端部分ｂ１で風速が速く強い気流となり、外側外端部分ｂ２で最も風速が速く強い気流となる。外端部分ｂからの外側給気Ｆは、中央部分ａからの中央給気ｆを、少なくとも横方向左右両側から挟んで取り囲むエアカーテンを形成する。開口率を多段階に変化させることで、給気風速を、給気面Ａの中央部分ａから外端部分ｂへ向かって多段階に順次増速するようにしても良い。
【００２２】
吸引装置２は、給気装置１とほぼ同様に構成される。吸引装置２は図２〜図４に示すように、車輪３を有して走行自在なスタンド４に搭載される吸引フード１２と、可搬式のテーブル６上に設置される吸引送風機１１とから構成される。スタンド４の脚及びテーブル６の脚は、高さ調整可能にスライド式で構成される。
【００２３】
吸引フード１２は、正面外形輪郭が長方形状で、奥行きが浅い直方体状のフレームの前面にメッシュ１３を被せ、これ以外の周面には風を通さない帆布１５を被せて、これらでフレーム全体を覆うことにより構成される。これにより、吸引フード１２も、可搬性及び組立性良好に構成される。メッシュ１３で覆った吸引フード１２の前面が吸引面Ｂとされる。メッシュ１３により、吸引面Ｂには多数の吸気孔が形成される。吸引フード１２の後面中央部には、帆布１５に穴を穿つことにより、開口部９が形成される。
【００２４】
吸引フード１２では、吸引効率を高くするために、吸引面Ｂ全面において、メッシュサイズは粗く設定される。
【００２５】
テーブル６上の吸引送風機１１の吸引口は、フレキシブルなダクト１０を介して、吸引フード１２の開口部９に連結される。これにより、吸引送風機１１は、吸引フード１２から空気を吸引する。吸引送風機１１には、吐出口側に集塵バッグなどのフィルタ１４が設けられ（図５参照）、フィルタ１４は、吸引フード１２から吸引する空気中に含まれる粉塵や悪臭、有害物質など吸引対象媒体Ｘを捕捉したり吸着するなどして捕集する。吸引送風機１１の能力を給気送風機７の能力よりも大きくすることで、吸引量を給気量よりも多く設定することができる。
【００２６】
図５に示すように、これら給気装置１の給気面Ａと吸引装置２の吸引面Ｂとは、局所的に吸引対象媒体Ｘが発生する工事現場などにおいて、吸引対象媒体Ｘの発生源Ｐを挟んで向かい合わせで設置される。給気面Ａからの給気Ｆ，ｆを吸引面Ｂで吸引することで、吸引対象媒体Ｘは吸引装置２のフィルタ１４に捕集される。
【００２７】
次に、本実施形態に係る吸引対象媒体捕集装置の作用について説明する。図５に示すように、給気送風機７及び吸引送風機１１を運転すると、給気面Ａから給気Ｆ，ｆが吹き出し、吸引面Ｂで給気Ｆ，ｆを吸引する。給気面Ａからの給気Ｆ，ｆのうち、外端部分ｂからの外側給気Ｆの風速、風量は、中央部分ａからの中央給気ｆの風速、風量よりも大きなものとなる。
【００２８】
中央給気ｆは、遅く緩やかな気流で、発生源Ｐから拡散しようとする吸引対象媒体Ｘを随伴し、吸引面Ｂに向かって押し流す。他方、外側給気Ｆは、速くて強い気流で、吸引対象媒体Ｘを随伴する中央給気ｆを、少なくとも横方向左右両側から取り囲むエアカーテンを形成する。
【００２９】
エアカーテンを形成する外側気流Ｆは、外側周囲の空気との摩擦により、吸引フード１２近くに到達するまでに弱まっていく一方で、吸引フード１２近くでは、吸引送風機１１による吸引が支配的となる。従って、吸引装置２の吸引面Ｂでは、吸引対象媒体Ｘを随伴する中央給気ｆ共々、外側給気Ｆもおおよそ吸引される。中央給気ｆで運ばれる吸引対象媒体Ｘは、吸引フード１２から吸引送風機１１を経てフィルタ１４へ送り込まれ、フィルタ１４は吸引対象媒体Ｘを捕集する。
【００３０】
以上説明した本実施形態に係る吸引対象媒体捕集装置にあっては、外側給気Ｆで形成する風速の速いエアカーテンにより、吸引対象媒体Ｘをその内部に包囲することができ、吸引対象媒体Ｘが拡散して外部へ逸散することを効果的に防止することができる。従って、給気装置１の給気面Ａや吸引装置２の吸引面Ｂを小型化して、装置全体を軽量化することができる。
【００３１】
また、外側給気Ｆのエアカーテンで中央給気ｆを取り囲むようにしたので、中央給気ｆを遅く穏やかな層流状態の気流として適切に設定することができ、吸引対象媒体Ｘを効率よく吸引装置２の吸引面Ｂへ随伴することができる。さらに、エアカーテンにより、給気面Ａと吸引面Ｂとの間に外部から吹き込む横風などを適切に遮断することができ、この面からも、吸引対象媒体Ｘの拡散を防止することができる。従って、吸引対象媒体Ｘの拡散を適切に防いで当該吸引対象媒体Ｘを確実に捕集することができる。
【００３２】
また、給気装置１による給気Ｆ，ｆを有効に利用して吸引対象媒体Ｘを吸引装置２に運ぶことができるので、吸引装置２の吸引風量や吸引風速を、給気風量や給気風速よりも数倍から十数倍大きく設定するといったように、徒に大きくすることなく、吸引対象媒体Ｘを確実に捕集することができ、エネルギロスを押さえて運転することができて、これによりエネルギ効率を高めて省エネルギ化やＣＯ2の排出抑制を促進することができる。
【００３３】
給気送風機７の能力よりも、吸引送風機１１の能力を高く設定して、給気面Ａからの総給気量よりも吸引面Ｂからの総吸引量を多く設定することで、吸引対象媒体Ｘを適切に捕集することができる。
【００３４】
給気孔の開口率を給気面Ａの中央部分ａよりも外端部分ｂで大きく設定することで、簡単な構造で的確にエアカーテンを形成することができる。
【００３５】
図６には、上記実施形態の変形例が示されている。給気面Ａを中央部分ａと外端部分ｂとに区分けし、中央部分ａに給気風量の小さな第１給気送風機７ａを接続し、外端部分ｂに給気風量の大きな第２給気送風機７ｂを接続して、これら給気送風機７ａ，７ｂでエアカーテンを形成する外側給気Ｆと、吸引対象媒体Ｘを随伴する中央給気ｆとを給気面Ａから吹き出すように構成しても良い。この場合、中央部分ａと外端部分ｂの給気孔の開口率は、適宜に設定すればよい。このような変形例にあっても、上記実施形態と同様の作用効果を奏することはもちろんである。
【００３６】
上記実施形態にあっては、吸引面Ｂは均一なメッシュとしたが、給気面Ａと同様に構成して、吸引面Ｂの外端部分における吸引作用を強く設定してもよいことはもちろんである。あるいは、吸引面Ｂの中央部分における開口率を大きく設定して、吸引作用を強く設定するようにしても良い。また、反対に、開口部９に面する部分の開口率を小さく設定することで、吸引面Ｂ全体で吸引作用が均等になるようにしても良い。なお、外側給気Ｆと中央給気ｆの風速、風量は、吸引対象媒体Ｘの性質によって決定されるものである。
【符号の説明】
【００３７】
１  給気装置
２  吸引装置
Ａ  給気面
ａ  給気面の中央部分
Ｂ  吸引面
ｂ  給気面の外端部分
Ｆ  外側給気
ｆ  中央給気
Ｐ  吸引対象媒体の発生源
Ｘ  吸引対象媒体
【図１】
2011208884.tif 000003
【図２】
2011208884.tif 000004
【図３】
2011208884.tif 000005
【図４】
2011208884.tif 000006
【図５】
2011208884.tif 000007
【図６】
2011208884.tif 000008